(57)【要約】【課題】発電コイルを用いてデータの送受信を行うことにより、送受信時の通信品質を高め、Ｓ／Ｎを向上する。【解決手段】時刻ｔ３１から予め定めた所定時間Ｔdが経過する時刻ｔ３２までの間に発電電圧が所定検出レベルを超過した回数が予め定めた回数（例えば、２回）を越えた場合には、ユーザの入力データは“１”または“Ｙｅｓ”であると判別する。例えば、時刻ｔ３１から予め定めた所定時間Ｔdが経過する時刻ｔ３２までの間に発電電圧が所定検出レベルを超過した回数が３回であり、予め定めた回数である２回を越えていると、ユーザのユーザの入力データは“１”または“Ｙｅｓ”であると判別される。【選択図】図９
2006146902.tif 000002
【特許請求の範囲】
【請求項１】
ユーザの操作に応じて旋回運動する回転錘と、
交流起電力を発生する発電コイルと、
前記回転錘の旋回運動に応じて前記発電コイルに交流起電力を発生させる発電手段と、
前記発電手段により前記発電コイルに発生した電圧が所定レベルを超えた回数を所定時間内において検知し、該検知した回数に応じてユーザの入力を判別する判別手段と
を具備することを特徴とする電子機器。
【発明の詳細な説明】
【技術分野】
【０００１】
本発明は、発電コイルによって発電された交流起電力を整流して電力として用いる電子機器に関し、例えばアナログ時計、ディジタル時計等の時計装置に用いて好適な電子機器及び電子機器のデータ送受信方法に関する。
【背景技術】
【０００２】
従来、電子機器としては、指針を動かすアナログ表示または液晶によるディジタル表示の腕時計があり、これらの腕時計は、煩わしい電池交換を不要にしていつまでも動作させるため、当該腕時計内に発電機を内蔵したものが知られている。
【０００３】
また、アナログ表示の腕時計は、駆動用のモータコイル（駆動用コイル）に駆動信号を印加することにより、指針を運針するようになっている。そして、この種のアナログ時計では、運針に用いるモータコイルをデータ受信用のコイルと兼用することにより、該モータコイルを介して外部の標準時間発生装置から送信される標準時間信号を受信し、時計ユニットの歩度調整を行っているものも知られている（例えば、実公昭５８−７１９０号公報等）。
【０００４】
一方、駆動用のモータコイルをデータ送信用のコイルと兼用するアナログ時計も知られている（特願平６−２５８４６４号公報等）。そして、このアナログ時計では、指針の動きを止めてデータの送信を行い、送信終了後に指針を早送りして修正するようにしている。
【特許文献１】実公昭５８−７１９０号公報
【特許文献２】特願平６−２５８４６４号公報
【発明の開示】
【発明が解決しようとする課題】
【０００５】
ところで、従来技術のうち、時計側のデータを外部に送信するものでは、データを送信する間、指針の動きを止めて駆動用のモータコイルを送信用のコイルとして使用している。このため、時計側には、データを送信しているか否かを判定し、送信モードになっている間に発生する駆動信号のパルス数を記憶し、データ送信終了後にこのパルス数に基づいて時刻復帰を行うための時刻復帰回路が設けられている。このように、従来技術では、回路構成が複雑になるという問題がある。
【０００６】
また、発電機を備えたものでは、発電機の発電コイルに比べて駆動用のモータコイルのインダクタンスが小さいため、このモータコイルを用いてデータの送受信を行う場合、発電コイルからの漏れ磁界や外部からのノイズによって、正確なデータ送信を行うことができなくなる虞れがある。
【０００７】
本発明は、上述した事情に鑑みてなされたもので、発電コイルを用いて正確なデータの送受信を行うことのできる電子機器及び電子機器のデータ送受信方法を提供することを目的としている。
【課題を解決するための手段】
【０００８】
請求項１の構成は、ユーザの操作に応じて旋回運動する回転錘と、交流起電力を発生する発電コイルと、前記回転錘の旋回運動に応じて前記発電コイルに交流起電力を発生させる発電手段と、前記発電手段により前記発電コイルに発生した電圧が所定レベルを超えた回数を所定時間内において検知し、該検知した回数に応じてユーザの入力を判別する判別手段とを具備することを特徴としている。
【発明を実施するための最良の形態】
【０００９】
［１］第１実施形態
次に本発明の好適な第１実施形態について図１ないし図７を参照して説明する。まず、本第１実施形態では、図１に示すように、電子機器としてのアナログ電子時計１０と、この電子時計１０とデータの送受信を行うデータ送受信装置１００とを例示して説明するが、本発明はこれらに限定する趣旨ではなく、発電用コイルによる発電機能を有する電子機器と該発電用コイルを介して通信を行い、電子機器とデータ送受信装置との間でデータの送受信を行うものであれば、本発明の適用が可能である。
【００１０】
［１．１］アナログ電子時計の概要構成
まず、発電機能を有するアナログ電子時計の概要構成について説明する。図２にアナログ電子時計の概要構成ブロック図を示す。ここで、アナログ電子時計１０は、後述する時計表示制御部１１と、該時計表示制御部１１の制御回路１５に接続され、データの書込み・再生を行うデータ記憶部２１と、時計表示制御部１１とデータ記憶部２１に向けて電力を供給する電力供給部３１とによって大略構成されている。１１は時計表示制御部で、該時計表示制御部１１は、基準発振信号を生成する発振回路１２と、該発振回路１２から出力される基準発振信号を分周する分周回路１３と、該分周回路１３から出力される信号を受けて指針を動かすことにより、時刻を表示する表示装置１４に向けて駆動制御信号を出力する制御回路１５とを備え、該制御回路１５の入力側には、分周回路１３、操作入力手段１６およびデータ記憶回路２２が接続され、出力側には文字盤と指針からなる表示装置１４が接続されている。なお、前記操作入力手段１６は、時計本体の横側に設けられたリュウズと、該リュウズを引き出したときの位置を検出するセンサ（いずれも図示せず）とによって構成されている。
【００１１】
そして、時計表示制御部１１の制御回路１５では、分周回路１３を介して発振回路１２から出力される基準発振信号を受けて表示装置１４の指針を動かすために、該表示装置１４のモータコイル（図示せず）に駆動信号を出力する。一方、操作入力手段１６から指示入力があった場合には、後述する制御によってデータの送受信を行うものである。２１はデータ記憶部で、該データ記憶部２１は、制御回路１５に接続された例えばＥＥＰＲＯＭ等の不揮発性メモリからなるデータ記憶回路２２と、発電コイル３２に接続され、該発電コイル３２で受信される受信データを検出する検出回路２３と、該検出回路２３から出力される検出信号をデータとして前記データ記憶回路２２に書き込むデータ書込み回路２４とを具備している。また、前記データ書込み回路２４はシフトレジスタや昇圧回路等によって構成されている。なお、電力供給部３１を構成する発電コイル３２は、データ記憶部２１の一部を構成している。
【００１２】
そして、データ記憶部２１では、制御回路１５に操作入力手段１６から指示入力がなされてデータ受信モードになっているときに、発電コイル３２でデータ送受信装置１００から送信される受信データを受信した場合、検出回路２３は発電コイル３２で受信データが受信されたことを検出し、データ書込み回路２４はこの受信データに対応した検出信号をデータ記憶回路２２に書込む。３１は電力供給部で、該電力供給部３１は、後述する発電機４１の一部を構成する発電コイル３２と、該発電コイル３２から出力される交流起電力を整流する整流回路３３と、該整流回路３３から出力される整流信号を蓄える大容量コンデンサ（または二次電池等）３４とによって構成され、前記整流回路３３にはデータ送信モードのときに、制御回路１５から送信データが入力される。
【００１３】
次に、図３を参照しつつ、電子時計１０に内蔵された発電機とその周辺機構について簡単に説明する。４１は発電機で、該発電機４１は、ロータ４２とステータ４３とを備えており、２極磁化されたディスク状のロータ４２が回転するとステータ４３の発電コイル３２に交流起電力が発生し、交流出力が取り出されるようになっている。４４は腕時計本体ケース内で旋回運動を行う回転錘、４５は該回転錘４４の旋回運動をロータ４２に伝達する輪列機構である。そして、回転錘４４では、腕時計を装着した人の腕の振りに応じて回転し、これに伴って発電機４１から交流起電力が発生する。さらに、発電機４１から発生した交流は、整流回路３３で全波整流または半波整流され、大容量コンデンサ３４と表示装置１４（時計表示制御部１１）とに供給される。該表示装置１４では、整流回路３３または大容量コンデンサ３４から放電される電力によって秒針を例えば約１秒毎に駆動する。なお、図３では、制御回路１５等は省略して説明している。
【００１４】
次に、図４を参照しつつ、電子時計１０内の整流回路３３および検出回路２３の構成について説明する。ここで、整流回路３３は４個のダイオードＤ1、Ｄ2、Ｄ3、Ｄ4によるブリッジ回路として構成され、ダイオードＤ1とＤ2との接続点は、高電位側電源Ｖddと大容量コンデンサ３４のプラス側に接続され、ダイオードＤ3とＤ4との接続点は、低電位側電源Ｖssとなったアースと大容量コンデンサ３４のマイナス側に接続されている。また、ダイオードＤ1とＤ3との接続点ＡＧ1は、発電コイル３２の一端に接続され、ダイオードＤ2とＤ４との接続点ＡＧ2は、発電コイル３２の他端と後述するコンパレータ５１の非反転入力端子に接続されている。また、整流回路３３では、ダイオードＤ3の両端にはＮ形チャネルの電界効果型トランジスタ（以下、ＦＥＴという）Ｎが接続され、ダイオードＤ2の両端にはＰ形チャネルのＦＥＴＰが接続されている。ここで、Ｎ形チャネルのＦＥＴＮは、ゲートに“Ｌ”となる信号が入力されるとドレイン，ソース間を開成してオフ状態とし、“Ｈ”となる信号が入力されるとドレイン，ソース間を閉成してオン状態となる特性を有する。一方、Ｐ形チャネルのＦＥＴＰは、前記ＦＥＴＮの動作とは逆に、ゲートに“Ｌ”となる信号が入力されるとドレイン，ソース間を閉成してオン状態とし、“Ｈ”となる信号が入力されるとドレイン，ソース間を開成してオフ状態とする。また、これらのＦＥＴＮ、Ｐは、制御回路１５から出力される制御信号によって、それぞれオン状態・オフ状態に切換えられるようになっている。
【００１５】
そして、この整流回路３３は、ＦＥＴＮ、Ｐがオフ状態にある通常の発電時では、発電コイル３２に誘起した交流起電力を全波整流して大容量コンデンサ３４に供給し、該大容量コンデンサ３４に電荷を蓄える。一方、整流回路３３は、データの送受信を行う場合には、ＦＥＴＮをオン状態にすることにより、受信モードに設定し、該ＦＥＴＮをオン状態のままＦＥＴＰを閉成することにより、点線で示すように電流を流してデータの送信を行うようになっている。次に、検出回路２３について説明する。この検出回路２３は、整流回路３３の出力側に接続され、コンパレータ５１と、該コンパレータ５１の反転入力端子とアースとの間に接続された基準電圧５２と、前記コンパレータ５１の電圧入力端子に駆動電圧を与える電源５３と、前記コンパレータ５１の電圧入力端子と低電位側電源Ｖssとの間に接続されたＦＥＴｎとによって構成されている。また、コンパレータ５１の非反転入力端子は接続点ＡＧ2に接続されている。この場合において、電源５３は大容量コンデンサ３４と共通であってもかまわない。
【００１６】
そして、検出回路２３では、データ受信モードに切換えるべく、制御回路１５からはＦＥＴｎをオン状態にしてコンパレータ５１を起動すると共に、ＦＥＴＮをオン状態にする制御信号が送られ、接続点ＡＧ1は低電位側電源Ｖssに固定される。この状態で、発電コイル３２に外部のデータ送受信装置１００から受信データが送られると、接続点ＡＧ2に電圧が誘起し、コンパレータ５１でその信号を検出する。ここで、該コンパレータ５１は誘起電圧と基準電圧５２とを比較し、基準電圧よりも誘起電圧が大きいときに、受信データに対応した検出信号がデータ書込み回路２４に向けて出力される。なお、基準電圧５２を変えることにより、コンパレータ５１による検出レベルは任意に設定することができる。
【００１７】
［１．２］データ送受信装置の概要構成
次にデータ送受信装置１００の概要構成について説明するに、該データ送受信装置１００は、電子時計１０から出力されるデータを読み取ると共に、時計の歩度調整等を行うための補正データを出力するステーションとして構成されている。また、データ送受信装置１００は、アナログ電子時計１０の発電コイル３２と磁界によって接続されるコイル１０１を有するもので、該データ送受信装置１００は、受信データを発信する発信回路と、アナログ電子時計１０から発電コイル３２を介して送信される送信データを受信する受信回路と、該受信ユニットで受信されたデータを記憶する記憶回路（いずれも図示せず）とによって大略構成されている。
【００１８】
［１．３］第１実施形態の動作
次に、図５および図６を参照して実施の形態の動作について説明する。まず、通常の動作モードでは、前述した如く、ＦＥＴｎ、Ｎ、Ｐが共にオフ状態にあるときに、発電機４１によって発電コイル３２から交流起電力が発生し、整流回路３３で全波整流して大容量コンデンサ３４に充電する。一方、ユーザが電子時計１０の歩度調整等を行うために、該電子時計１０をデータ送受信装置１００に装着する。そして、時刻ｔ１において、ユーザは、操作入力手段１６となるリュウズを操作してＦＥＴｎをオン状態にしてコンパレータ５１を起動する。このとき、タイマｔがスタートし、このタイマｔが所定時間ｔaを経過するまで待機する（ステップＳＰ１）。
【００１９】
タイマｔにおいて所定時間ｔaが経過した時刻ｔ２になると、ＦＥＴＮはオンされ、接続点ＡＧ1が低電位側電源Ｖssに固定され、発電コイル３２は、データ送受信装置１００からの受信データを受信するための受信モードに切換わる（ステップＳＰ２）。そして、時刻ｔ３において、発電コイル３２を介してデータ送受信装置１００から受信信号が電子時計１０に送られると、先に述べたように、発電コイル３２は受信データを受け、誘起電圧がコンパレータ５１の非反転入力端子に出力される。時刻ｔ４において、コンパレータ５１では、入力される誘起電圧と基準電圧５２とを比較し、正しい受信データが受信されたか否かを判定する（ステップＳＰ３）。
【００２０】
ここで、受信データが受信されたと判定した場合には、この受信データに対応した検出信号がデータ書込み回路２４に出力され、該データ書込み回路２４では、受信された受信データをデータ記憶回路２２に書き込む（ステップＳＰ４）。なお、既にデータ記憶回路２２にデータが書き込まれている場合には、旧データを消去してデータの更新を行う。ステップＳＰ４が終了した時刻ｔ４において、ＦＥＴＮをオフ状態にすると共に、ＦＥＴｎをオフ状態にすることによってデータ受信モードを終了する（ステップＳＰ５）。
【００２１】
次に、ＦＥＴＮがオフ状態となる立ち下がり時刻ｔ４から時刻ｔ５に至ると、データ送信モードに切り替わり（ステップＳＰ６）、ＦＥＴＰとＦＥＴＮとをオン・オフさせる動作を繰り返すことによりデータ記憶回路２２内に記憶された送信データを自動的に送信する。
【００２２】
このデータ送信モードでは、送信データがデータ記憶回路２２から読み出されて、このデータに基づいて整流回路３３のＦＥＴＰ、ＦＥＴＮを同時にオン・オフさせることにより、ＦＥＴＰ→発電コイル３２→ＦＥＴＮ（図４中の点線矢印）という経路で電流を流
し、所定の周波数で送信データを発電コイル３２を介して外部のデータ送受信装置１００に向けて送信する（ステップＳＰ７）。そして、データ送信を終了した後は、ステップＳＰ８で送信モードを終了し、ステップＳＰ１に復帰する。
【００２３】
［１．４］第１実施形態の効果
以上、上述したように、本実施の形態によれば、データ送受信装置１００に電子時計１０を装着して操作入力手段１６を操作して指示入力があると、データ送受信装置１００から送信される受信データを、発電コイル３２を介してアナログ電子時計１０のデータ記憶回路２２に記憶する。この後に、データ記憶回路２２に記憶された送信データを発電コイル３２を介してデータ送受信装置１００に送信する。このように、発電コイル３２を用いてデータの送受信を行うことにより、従来時計に内蔵していた時刻復帰回路等を省略でき、簡単な構成でデータの送受信を実現することができる。しかも、データの送信に当たって新たにアンテナ等の増設も必要なく、今までの電子時計１０の構成によって実現することが可能である。
【００２４】
ここで、データ記憶回路２２にデータ送受信装置１００から受信されるデータを、例えば発振回路１２からの基準発振信号を分周する分周回路１３の論理緩急データとした場合には、このデータに基づいて発振回路１２を調整することができる。また、電子時計１０から送信されるデータを、当該時計１０の識別番号（以下、ＩＤ番号という）データとした場合には、データ送受信装置１００側で、電子時計１０を分解することなく、当該電子時計１０に割り振られたＩＤ番号を外部から簡単に識別でき、流通段階での製品管理や偽物であるか否かを容易に判定することもできる。なお、送信データとしては、電子時計１０の自己動作状態を知らせる情報でもよい。
【００２５】
また、本第１実施形態では、データの送受信に発電コイル３２を用いているから、該発電コイル３２は表示装置１４に設けられた駆動用のモータコイルよりも、巻数が多く、しかも巻線の太さが太くなっている。このため、発電コイル３２はモータコイルに比べてインダクタンスが大きくなっているから、送受信時の通信品質を高め、Ｓ／Ｎを向上させることができる。さらに、発電コイル３２が非充電状態にあるときに、該発電コイル３２を用いてデータの送受信を行うようにしているため、充電時に発電コイル３２に発生する磁界と区別してデータの送受信を正確に行うことができる。
【００２６】
また、データの送受信を行っているときには、ユーザにこのことを知らせるため、表示装置１４で特別な表示を行う。即ち、アナログ時計の場合には変則運針（２秒毎の運針）、ディジタル時計の場合には表示パネル上でデータ送受信中であることを表示する。これは、発電中は正しくデータ送受信を行えない可能性があるため、データ送受信中であることを表示してユーザが電子時計を振って発電することがないようにするのが望ましいからである。さらに、検出回路２３をなすコンパレータ５１には、その電圧入力端子と低電位側電源Ｖssとの間にＦＥＴｎを接続しているから、受信モード以外ではコンパレータ５１に電圧が印加されるのを禁止している。これにより、電力の消費を低減することができる。
【００２７】
［２］第２実施形態
次に図７を参照して本発明の第２実施形態について説明する。本第２実施形態は、アナログ電子時計６０を、外部からのデータの受信のみを行う構成としたものである。なお、データ送信を行うものでは、ＦＥＴＰとＦＥＴＮのトランジスタを同時にオンさせて電流を流すようにしていたので、通常の携帯時で発電が行われている状態では、大容量コンデンサ３４への充電に支障をきたし、充電効率の低下を招く虞れがあるため、外部操作による入力（操作入力手段１６）が必要であった。しかし、データの受信のみを行う場合には、外部からの操作入力手段１６は必要なくなり、所定時間ｔa毎に自動的にデータ受信状態に切換えるようにしてもよい。この電子時計６０は、ダイオードＤ3の両端にのみＦＥＴＮを接続したもので、当該電子時計６０の動作においては、図６のステップＳＰ１〜ステップＳＰ５を実行することによってデータ受信を実現することができる。
【００２８】
［３］第３実施形態
次に図８を参照して本発明の第３実施形態について説明する。本第３実施形態において、電子時計の構成は第１実施形態と同様であるので、図２および図３を援用して説明する。本第３実施形態は、表示装置１４に設けられている指針を駆動するためのパルスモータに対して制御回路１５から出力される駆動制御信号（モータパルス）をデータ送受信の基準タイミング信号として用いる場合の実施形態である。図８に第３実施形態のタイミングチャートを示す。以下の説明においては、モータパルスの出力周期を時間Ｔａとする。時刻ｔ１１において、モータパルスが“Ｈ”レベルとなり、時刻ｔ１２において再び“Ｌ”レベルとなると、制御回路１５は、時刻ｔ１２から所定時間Ｔｂが経過した時刻ｔ１３において、ＦＥＴｎおよびＦＥＴＮをオン状態にしてデータ受信モードに移行することとなる。しかしながら、時刻ｔ１３〜時刻ｔ１４に期間においては、外部装置であるデータ送受信装置１００側からデータが送信されなかったので、時刻ｔ１４において、ＦＥＴｎおよびＦＥＴＮをオフ状態にして再び通常モードとなる。
【００２９】
その後、時刻ｔ１５において、モータパルスが“Ｈ”レベルとなり、時刻ｔ１６において再び“Ｌ”レベルとなると、制御回路１５は、時刻ｔ１６から所定時間Ｔｂが経過した時刻ｔ１７において、ＦＥＴｎおよびＦＥＴＮをオン状態にしてデータ受信モードに移行することとなる。そして、時刻ｔ１７において、発電コイル３２を介してデータ送受信装置１００から受信信号が電子時計１０に送られると、発電コイル３２は受信データを受け、誘起電圧がコンパレータ５１の非反転入力端子に出力される。時刻ｔ１８において、コンパレータ５１では、入力される誘起電圧と基準電圧５２とを比較し、正しい受信データが受信されたか否かを判定し、受信データが受信されたと判定した場合には、この受信データに対応した検出信号がデータ書込み回路２４に出力され、該データ書込み回路２４では受信された受信データをデータ記憶回路２２に書き込むこととなる。さらに時刻ｔ１８においては、ＦＥＴＮおよびＦＥＴｎをオフ状態にすることによってデータ受信モードを終了する。その後、時刻ｔ１９において、モータパルスが“Ｈ”レベルとなり、時刻ｔ２０において再び“Ｌ”レベルとなると、制御回路１５は、時刻ｔ２０から所定時間Ｔｃが経過した時刻ｔ２１において、データ送信モードに切り替わり、ＦＥＴＰとＦＥＴＮとをオン・オフさせる動作を繰り返すことによりデータ記憶回路２２内に記憶された送信データを自動的に送信することとなる。以上の説明のように、本第３実施形態においては、第１実施形態の効果に加えてモータパルスの影響を受けないタイミングで、自動的にデータ受信モード、データ送信モードに移行することができ、より確実なデータ送受信を行うことができる。
【００３０】
［４］第４実施形態
以上の各実施形態は、厳密なデータ送受信を行う場合であったが、本実施形態は、簡易的にデータの入力を行うような場合の実施形態である。データの入力には、数値データや文字データなどのような一つのデータが複数ビットになるようなデータばかりでなく、Ｙｅｓ／Ｎｏの入力のような簡単なデータ入力も存在する。本第４実施形態はこのような簡易データ入力を行う場合の実施形態である。本第４実施形態では、上記各実施形態のように、外部磁界をデータ入力に用いるのではなく、回転錘４４（図３参照）を腕時計を振ることによって回転させて、発電コイルに起電圧を発生させ、所定時間内において、発電電圧が所定レベルを超過した回数が予め定めた回数以上となった場合に、ある値（“１”または“０”あるいは“Ｙｅｓ”または“Ｎｏ”）が入力されたものと判別している。より詳細には図９に示すように、時刻ｔ３１から予め定めた所定時間Ｔdが経過する時刻ｔ３２までの間に発電電圧が所定検出レベルを超過した回数が予め定めた回数（例えば、２回）を越えた場合には、ユーザの入力データは“１”または“Ｙｅｓ”であると判別するものである。図９の例においては、時刻ｔ３１から予め定めた所定時間Ｔdが経過する時刻ｔ３２までの間に発電電圧が所定検出レベルを超過した回数が３回であり、予め定めた回数である２回を越えているので、ユーザのユーザの入力データは“１”または“Ｙｅｓ”であると判別されることとなる。このように、本第４実施形態によれば、電子時計の構成を変えることなく、簡易なデータ入力を行うことができる。
【００３１】
［５］実施形態の変形例
［５．１］第１変形例
上記実施形態では、呼出信号検出手段にコンパレータ５１を用いたが、本発明はこれに限らず、インバータ回路でもよく、この場合には、回路構成も単純になり消費電流も低減できる。しかしながら、この場合には、検出電圧の閾値はほぼ（Ｖdd-Ｖss）／２となり、検出レベルの設定が固定されてしまうこととなる。
【００３２】
［５．２］第２変形例
また、データの送信は、１回のみ行った場合について述べたが、複数回行って、信頼性を高めるようにしてもよいことは勿論である。さらに、受信データは、ディジタル温度補償発振器の補正データ、センサや検出回路の各種調整データとしてもよい。
【００３３】
［５．３］第３変形例
さらに、電子機器としてアナログ電子時計を例に挙げて説明したが、これに限らず、例えば、ディジタル時計や携帯用検出装置（例えば万歩計（登録商標）、血圧計）等の発電コイルを備えた各種電子機器にも適用可能である。この場合、データを、センサの補正データや検出回路の補正データとすることにより、電子機器に関する補正を適宜に行うことができる。また、実施の形態では、低電位側電源Ｖssを基準としたが、高電位側電源Ｖddを基準としてもよい。
【００３４】
［５．４］第４変形例
整流ダイオードの代わりに、ＦＥＴ等のような能動素子を複数個用いて能動整流を行うような場合には、前述したようなデータ送受信用のＦＥＴＰやＦＥＴＮを設けなくても、整流用の能動素子を兼用してデータ送受信を行うように構成することも可能である。
【図面の簡単な説明】
【００３５】
【図１】実施の形態によるアナログ電子時計とデータ送受信装置との関係を示すブロック図である。
【図２】実施の形態のアナログ電子時計の概要構成ブロック図である。
【図３】電子時計に内蔵された発電機等を示す概略図である。
【図４】整流回路と検出回路を示す回路構成図である。
【図５】第１実施形態の動作を示すタイミングチャートである。
【図６】第１実施形態の動作処理を示すフローチャートである。
【図７】第２実施形態のアナログ電子時計の概要構成ブロック図である。
【図８】第３実施形態の動作を示すタイミングチャートである。
【図９】第４実施形態の動作を示すタイミングチャートである。
【符号の説明】
【００３６】
１０，６０……アナログ電子時計、１６……操作入力手段、２２……データ記憶回路
２３……検出回路、２４……データ書込み回路、３２……発電コイル、３３……整流回路
３４……大容量コンデンサ、５１……コンパレータ、Ｐ，Ｎ，ｎ……電界効果型トランジスタ（ＦＥＴ）
【図１】
2006146902.tif 000003
【図２】
2006146902.tif 000004
【図３】
2006146902.tif 000005
【図４】
2006146902.tif 000006
【図５】
2006146902.tif 000007
【図６】
2006146902.tif 000008
【図７】
2006146902.tif 000009
【図８】
2006146902.tif 000010
【図９】
2006146902.tif 000011